(57)【要約】【課題】センサや電磁クラッチなどの電気部品を用いずにメカ部品だけで、モータの駆動時間と回転方向により、所定の位相で動力伝達、切断が可能な正転逆転クラッチ機構を実現する。【解決手段】出力ギア部の、その角度制御を行いたい所定の位相である第一位相、第二位相のそれぞれに、入力ギアとかみ合う揺動ギアと、揺動ギアを入力ギアとかみ合うようにガイドするガイド穴と、揺動ギアと係合する突起と、さらには第一位相、第二位相において入力ギアとかみ合わず、第一位相、第二位相以外の位相においてはかみ合う歯群を設ける。【選択図】図６
2005147351.tif 000002
【特許請求の範囲】
【請求項１】
１）正転逆転する入力ギアと、
２）第一位相と第二位相の間で回転自在に保持され、第一位相、第二位相においては、前記入力ギアとかみ合わず、第一位相、第二位相以外の位相においては前記入力ギアとかみ合うように配置された歯群と、中心にボスを持つ第一揺動ギア、第二揺動ギアと、前記第一揺動ギア、前記第二揺動ギアとそれぞれ係合する第一突起、第二突起と、前記第一揺動ギア、前記第二揺動ギアのボスをガイドする第一ガイド穴、第二ガイド穴と、から成る出力ギアユニットと、
を有し、
第一位相において、前記入力ギアが正転したときには前記出力ギアユニット上の前記第一揺動ギアが前記第一突起から離れ、前記入力ギアが逆転したときには前記出力ギアユニット上の前記第一揺動ギアが前記第一突起と係合し、少なくとも前記出力ギアユニットの前記歯群が前記入力ギアと係合する位相まで、前記入力ギアは前記第一揺動ギアと係合し続け、
第二位相において、前記入力ギアが逆転したときには前記出力ギアユニット上の前記第二揺動ギアが前記第二突起から離れ、前記入力ギアが正転したときには前記出力ギアユニット上の前記第二揺動ギアが前記第二突起と係合し、少なくとも前記出力ギアユニットの前記歯群が前記入力ギアと係合する位相まで、前記入力ギアは前記第二揺動ギアと係合し続ける
ことを特徴とする正転逆転クラッチ機構。
【請求項２】
前記第一ガイド穴、前記第二ガイド穴は、前記第一揺動ギア、前記第二揺動ギアが、それぞれ前記第一突起、前記第二突起に係合している状態から、前記第一突起、前記第二突起より離れた状態にまで移動する間、前記第一揺動ギア、前記第二揺動ギアの中心と、前記入力ギアの中心との距離を一定に、前記第一揺動ギア、前記第二揺動ギアを案内する円弧型形状であることを特徴とする請求項１に記載の正転逆転クラッチ機構。
【請求項３】
前記出力ギアユニットが、第一位相、第二位相にとどまるように付勢、位置決めする付勢手段を設けたことを特徴とする請求項１に記載の正転逆転クラッチ機構。
【請求項４】
画像形成部の像担持体上に形成担持させたトナー像を中間転写体上に一次転写させ、その中間転写体上のトナー像を被記録媒体に二次転写させて画像形成を実行する画像形成装置において、
前記中間転写体を前記画像形成部の像担持体に対して接離移動させる、正転逆転クラッチ機構を含む中間転写体移動機構を有し、前記正転逆転クラッチ機構が請求項１から３の何れかに記載の正転逆転クラッチ機構であることを特徴とする画像形成装置。
【請求項５】
異なる色の複数の画像形成部を有し、中間転写体上に複数のトナー像が重畳されて一次転写されることを特徴とする請求項４に記載の画像形成装置。
【発明の詳細な説明】
【技術分野】
【０００１】
本発明は、揺動ギアを用いた正転逆転クラッチ機構、およびこのクラッチ機構を用いた画像形成装置に関する。
【背景技術】
【０００２】
便宜上、異なる色の複数の画像形成部を並列して配設し、各画像形成部を通過して移動する中間転写体を配設した電子写真方式フルカラー画像形成装置を例にして説明する。
【０００３】
この画像形成装置は、フルカラー画像出力時（フルカラー画像形成モード時）は、各画像形成部の像担持体である感光ドラム面にフルカラー画像の成分色像として形成される各色のトナー画像を各画像形成部を通過して移動する中間転写体の面に順次に一次転写手段により重畳転写させることでフルカラーのトナー画像を合成形成させる。そしてその中間転写体の面に合成形成されたフルカラーのトナー画像を二次転写手段で紙やプラスチックシートなどの被記録体へ一括して二次転写させ、熱定着手段で熱溶融・混色・定着させてフルカラー画像形成物を出力させる。また、モノクロ画像出力時（モノクロ画像形成モード時）は上記の異なる色の複数の各画像形成部のうちの黒トナー画像を形成する画像形成部のみを作像動作させてこの画像形成部の感光ドラム面に形成される黒トナー画像を中間転写体の面に一次転写させ、さらに二次転写部にて中間転写体の面から被記録体へ二次転写させ、熱定着手段で熱溶融・定着させてモノクロ画像形成物を出力させる。
【０００４】
そして、モノクロ画像出力時は、画像形成に関与していない、黒トナー画像画像形成部以外の他の画像形成部の感光ドラムと中間転写体との接触による劣化などを防ぐ目的で、黒トナー画像形成部以外の他の色トナー画像形成部の感光ドラムに対して中間転写体を離間させて接触させない中間転写体回避機構が採用されている（例えば、特許文献１参照）。
【特許文献１】特開平９−２９２７５３号公報
【発明の開示】
【発明が解決しようとする課題】
【０００５】
本発明の目的は、例えば、コンピュータ用プリンタや複写機など、電子写真方式等を利用した画像形成装置において、上記のような中間転写体回避機構の駆動伝達部に用いられる正転逆転クラッチ機構として、センサや電磁クラッチなどの電気部品を用いずにメカ構成だけで、モータの駆動時間と回転方向により、所定の位相で動力伝達を切断できる正転逆転クラッチ機構を実現することである。
【課題を解決するための手段】
【０００６】
本発明は下記の構成を特徴とする揺動ギアを用いた正転逆転クラッチ機構、およびこのクラッチ機構を用いた画像形成装置である。
【０００７】
［１］： 
１）正転逆転する入力ギアと、
２）第一位相と第二位相の間で回転自在に保持され、第一位相、第二位相においては、前記入力ギアとかみ合わず、第一位相、第二位相以外の位相においては前記入力ギアとかみ合うように配置された歯群と、中心にボスを持つ第一揺動ギア、第二揺動ギアと、前記第一揺動ギア、前記第二揺動ギアとそれぞれ係合する第一突起、第二突起と、前記第一揺動ギア、前記第二揺動ギアのボスをガイドする第一ガイド穴、第二ガイド穴と、から成る出力ギアユニットと、
を有し、
第一位相において、前記入力ギアが正転したときには前記出力ギアユニット上の前記第一揺動ギアが前記第一突起から離れ、前記入力ギアが逆転したときには前記出力ギアユニット上の前記第一揺動ギアが前記第一突起と係合し、少なくとも前記出力ギアユニットの前記歯群が前記入力ギアと係合する位相まで、前記入力ギアは前記第一揺動ギアと係合し続け、
第二位相において、前記入力ギアが逆転したときには前記出力ギアユニット上の前記第二揺動ギアが前記第二突起から離れ、前記入力ギアが正転したときには前記出力ギアユニット上の前記第二揺動ギアが前記第二突起と係合し、少なくとも前記出力ギアユニットの前記歯群が前記入力ギアと係合する位相まで、前記入力ギアは前記第二揺動ギアと係合し続ける
ことを特徴とする正転逆転クラッチ機構。
【０００８】
［２］：前記第一ガイド穴、前記第二ガイド穴は、前記第一揺動ギア、前記第二揺動ギアが、それぞれ前記第一突起、前記第二突起に係合している状態から、前記第一突起、前記第二突起より離れた状態にまで移動する間、前記第一揺動ギア、前記第二揺動ギアの中心と、前記入力ギアの中心との距離を一定に、前記第一揺動ギア、前記第二揺動ギアを案内する円弧型形状であることを特徴とする［１］に記載の正転逆転クラッチ機構。
【０００９】
［３］：前記出力ギアユニットが、第一位相、第二位相にとどまるように付勢、位置決めする付勢手段を設けたことを特徴とする［１］に記載の正転逆転クラッチ機構。
【００１０】
［４］：画像形成部の像担持体上に形成担持させたトナー像を中間転写体上に一次転写させ、その中間転写体上のトナー像を被記録媒体に二次転写させて画像形成を実行する画像形成装置において、
前記中間転写体を前記画像形成部の像担持体に対して接離移動させる、正転逆転クラッチ機構を含む中間転写体移動機構を有し、前記正転逆転クラッチ機構が［１］から［３］の何れかに記載の正転逆転クラッチ機構であることを特徴とする画像形成装置。
【００１１】
［５］：異なる色の複数の画像形成部を有し、中間転写体上に複数のトナー像が重畳されて一次転写されることを特徴とする［４］に記載の画像形成装置。
【発明を実施するための最良の形態】
【００１２】
【実施例１】
【００１３】
図１は、本発明に従う揺動ギアを用いた正転逆転クラッチ機構を、一次転写ローラユニットの揺動機構に組み込んで使用した画像形成装置の概略構成図である。
【００１４】
本例の画像形成装置は、複数の像担持体である感光ドラムを上下に並べて配置したタンデム型で、中間転写ベルト方式のモノクロ兼用電子写真フルカラープリンタである。
【００１５】
Ｙ・Ｍ・Ｃ・Ｋはそれぞれイエロー・マゼンタ・シアン・ブラックの各色のトナー画像を形成する第１〜第４の４つの画像形成部であり、下から上に順に並列配置されている。
【００１６】
これらの第１〜第４の４つの画像形成部Ｙ・Ｍ・Ｃ・Ｋは互いに形成するトナー画像の色が上記のように異なる他は、同一の構成・電子写真作像機能を有している。すなわち、第１〜第４の各画像形成部はそれぞれ、像担持体としてのドラム型の電子写真感光体（感光ドラム）２、一次帯電手段としての帯電ローラ３、露光手段としてのレーザー照射装置４、現像手段としてのトナー現像装置５、一次転写手段としての転写ローラ６、感光ドラムクリーニング器７等からなる。第１〜第４の各画像形成部のトナー現像装置５に収容させている現像剤はそれぞれイエロートナー、シアントナー、マゼンタトナー、ブラックトナーである。
【００１７】
８は中間転写体としてのエンドレスベルト状の中間転写ベルトであり、上記の第１〜第４の４つの画像形成部Ｙ・Ｍ・Ｃ・Ｋの感光ドラム２側においてこの４つの画像形成部の全体部に亘らせて、複数の支持ローラ９・１０・１１間に懸回張設させて縦方向に配設してある。第１〜第４の各画像形成部において、一次転写ローラ６はそれぞれこの中間転写ベルト８を介して感光ドラム２に圧接させてある。各感光ドラム２と中間転写ベルト８との接触部が一次転写部である。
【００１８】
フルカラー画像出力時において、第１〜第４の各画像形成部Ｙ・Ｍ・Ｃ・Ｋの感光ドラム２は矢印の反時計方向に回転駆動され、その回転過程で帯電バイアスが印加された帯電ローラ２により所定の極性及び電位に一様に一次次帯電処理され、その帯電処理面に対してレーザースキャナ装置４によりそれぞれフルカラー画像の色分解成成分像である、イエロー、マゼンタ、シアン、ブラックの各画像パターンにしたがった光像露光ＬＹ・ＬＭ・ＬＣ・ＬＫがなされ、各感光ドラム２上に画像情報の静電潜像が形成される。その静電潜像がそれぞれ現像装置５によってトナー画像として現像されることで、第１〜第４の４つの画像形成部Ｙ・Ｍ・Ｃ・Ｋの各感光ドラム２の面にそれぞれ電子写真プロセスによりフルカラー画像の色分解成分像である、イエロー、マゼンタ、シアン、ブラックの色トナー画像が所定のシーケンス制御タイミングにて形成される。
【００１９】
そして、第１〜第４の各画像形成部Ｙ・Ｍ・Ｃ・Ｋにおいて、各感光ドラム２の面に形成されるイエロー、マゼンタ、シアン、ブラックの色トナー画像が、各感光ドラム２の回転方向に順方向の矢印の時計方向に感光ドラム２と略同速で回転駆動される中間転写ベルト８の面に対して、第１〜第４の各画像形成部Ｙ・Ｍ・Ｃ・Ｋの一次転写部において一次転写ローラ６に印加される一次転写バイアスによって順次に重畳転写される。これにより回転駆動される中間転写ベルト８の面に未定着のフルカラートナー画像（鏡像）が合成形成される。第１〜第４の各画像形成部Ｙ・Ｍ・Ｃ・Ｋにおいて中間転写ベルト８の面に対するトナー画像の一次転写後の感光ドラム２上の転写残トナーはクリーニング器７により感光ドラム２の面から除去される。
【００２０】
１２は２次転写ローラであり、中間転写ベルト８を懸回張設している複数のローラ９〜１１のうちのローラ１０を対向ローラにして、このローラ１０との間に中間転写ベルト８を挟ませて該中間転写ベルト８の外面に当接させて配設してある。２次転写ローラ１２と中間転写ベルト８との接触部が二次転写部である。
【００２１】
１３はプリンタ本体の下部に配設した給紙カセットであり、被記録体としての転写材Ｐを積載収容させてある。所定のシーケンス制御タイミングにてピックアップローラ１４が駆動されて給紙カセット１３内の転写材Ｐが１枚分離給紙され、搬送ローラ１５・レジストローラ１６を含むシートパス１７を通って所定のタイミングにて二次転写部に給送される。中間転写ベルト８上の未定着のフルカラートナー画像はこの二次転写部において二次転写ローラ１２に印加される転写バイアスによって転写材Ｐの面に一括して転写されていく。中間転写ベルト８上に残った転写残トナーはクリーニング器１８によって除かれる。
【００２２】
二次転写部を通過した転写材Ｐは中間転写ベルト８の面から分離されて搬送ベルト１９によって定着装置２０に送られ、転写材Ｐ上の未定着のフルカラートナー画像はこの定着装置２０により熱および圧を加えられて転写材Ｐに溶融・混色、固着され、シートパス２１を通ってプリンタ本体の上面に配設した排紙トレイ２２上にカラー画像形成物として排出される。
【００２３】
モノクロ画像出力時は、上記の第１〜第４の各画像形成部Ｙ・Ｍ・Ｃ・Ｋのうちの黒トナー画像を形成する画像形成部である最上位の第４の画像形成部Ｋのみが作像動作して、この画像形成部Ｋの感光ドラム２の面に形成される黒トナー画像が中間転写ベルト８の面に一次転写され、さらに二次転写部にて中間転写ベルト８の面から転写材Ｐに二次転写され、定着装置２０で画像定着されてモノクロ画像形成物として出力される。
【００２４】
１００は中間転写体回避機構部である。図２・図３はこの中間転写体回避機構部１００部分の拡大図であり、図２はフルカラー画像出力時の状態、図３はモノクロ画像出力時の状態を示している。
【００２５】
３１は固定フレームであり、このフレーム３１に中間転写ベルト８を懸回張設している複数のローラ９〜１１を回転自由に配設してある。３２は一次転写ローラユニットであり、上記の固定フレーム３１に対してユニット上端側のボス３２ａを中心に矢印のＡ・Ｂ方向に揺動自由に支持させて配設してある。この一次転写ローラユニット３２には、イエロートナー画像、マゼンタトナー画像、シアントナー画像をそれぞれ形成する第１〜第３の画像形成部Ｙ・Ｍ・Ｃの各感光ドラム２に対する都合３つの一次転写ローラ５を回転自由に配設してある。第４の画像形成部Ｋの感光ドラム２に対する一次転写ローラ５だけは固定フレーム３１に回転自由に配設して該画像形成部Ｋの感光体ドラム２に対して中間転写ベルト８を挟んで所定に圧接して常時一次転写部を形成している状態に保持させている。
【００２６】
揺動機構３３は、出力ギアユニット（揺動ギアを用いた正転逆転クラッチ機構）１、モータ３４、カム３５、入力ギア３６から構成されている。出力ギアユニット１は、図６のように、歯群１ａ、第一揺動ギア１ｂ、第二揺動ギア１ｃ、第一突起１ｄ、第二突起１ｅ、第一ガイド穴１ｆ、第二ガイド穴１ｇから構成されている。
【００２７】
一次転写ローラユニット３２は、フルカラー画像出力時は揺動機構３３のカム３５が図２・図４の第一位相の回転角状態に切換え制御される。この第一位相の回転角状態に切換え制御されたカム３５により一次転写ローラユニット３２が加圧されてボス３２ａを中心に第１〜第３の画像形成部Ｙ・Ｍ・Ｃの方に寄るＡ方向に中間転写ベルト８のテンションに抗して揺動してこの一次転写ローラユニット３２に配設した３つの一次転写ローラ５がそれぞれ第１〜第３の画像形成部Ｙ・Ｍ・Ｃの感光体ドラム２に対して中間転写ベルト８を挟んで所定に圧接して一次転写部を形成している状態に保持される。
【００２８】
また、一次転写ローラユニット３２は、モノクロ画像出力時は揺動機構３３のカム３５が図３・図５の第二位相の回転角状態に切換え制御される。この第二位相の回転角状態に切換え制御されたカム３５により一次転写ローラユニット３２の加圧が解除されて一次転写ローラユニット３２が中間転写ベルト８のテンションによりボス３２ａを中心に第１〜第３の画像形成部Ｙ・Ｍ・Ｃから離間するＢ方向に揺動してこの一次転写ローラユニット３２に配設した３つの一次転写ローラ５がそれぞれ第１〜第３の画像形成部Ｙ・Ｍ・Ｃの感光体ドラム２から離間して、第１〜第３の画像形成部Ｙ・Ｍ・Ｃの感光体ドラム２からは中間転写ベルト８が非接触状態に保持される。黒トナー画像を形成する画像形成部である第４の画像形成部Ｋの一次転写ローラ５だけは該画像形成部Ｋの感光体ドラム２に対して中間転写ベルト８を挟んで所定に圧接して一次転写部を形成している状態に保持される。
【００２９】
カム３５は、軸３５ａを介し出力ギアユニット１と連結している。出力ギアユニット１は、歯群１ａがモータ３４と連結している入力ギア３６とかみ合うように配してあり、入力ギア３６が、モータ３４の駆動により、図示Ｄ方向に正転、図示Ｅ方向に逆転することから、出力ギアユニット１も、図示Ｄ方向に正転、図示Ｅ方向に逆転し、これに伴いカム３５も回転する。出力ギアユニット１には、第一位相、第二位相では、歯群１ａと入力ギア３６とかみ合わず、第一位相、第二位相以外の位相では入力ギア３６とかみ合う歯群１ａが設けてある。第一揺動ギア１ｂ、第二揺動ギア１ｃはボスを有し、それぞれ第一ガイド穴１ｆ、第二ガイド穴１ｇに回転可能で取り付けてあり、第一位相においては、第一揺動ギア１ｂと入力ギア３６が、第二位相においては、第二揺動ギア１ｃと入力ギア３６がかみ合うように配置されている。
【００３０】
第一突起１ｄは、出力ギアユニット１が、第一位相において、入力ギア３６が逆転した場合には第一揺動ギア１ｂと係合するように、入力ギア３６が正転した場合には第一揺動ギア１ｂが離れるように配置され、第二突起１ｅは、出力ギアユニット１が、第二位相において、入力ギア３６が正転した場合には第二揺動ギア１ｃと係合するように、入力ギア３６が逆転した場合には第二揺動ギア１ｃが離れるように配置されている。
【００３１】
また、第一ガイド穴１ｆ、第二ガイド穴１ｇは、それぞれ第一位相と第二位相において、第一揺動ギア１ｂ、第二揺動ギア１ｃの中心と、入力ギア３６の中心との距離が一定になるような円弧型形状であり、入力ギア３６の正転逆転により、第一揺動ギア１ｂ、第二揺動ギア１ｃが、それぞれ、第一突起１ｄ、第二突起１ｅに係合している状態から離れた状態まで、あるいは、その逆である離れた状態から係合する状態まで移動できるように、第一揺動ギア１ｂ、第二揺動ギア１ｃを案内している。
【００３２】
フルカラー画像出力時は、モータ３４が駆動することから、入力ギア３６、出力ギアユニット１が図示Ｄ方向に正転し、出力ギアユニット１が第一位相に到達した状態では、第一揺動ギア１ｂのみが入力ギア３６とかみ合い、第一揺動ギア１ｂは空転するため、出力ギアユニット１への動力伝達は切断される（図６）。これに伴いカム３５が第一位相で転写ローラユニット３２と接触し、転写ローラユニット３２は図２・図４の状態に保持される。
【００３３】
この状態から、モノクロ画像出力時に切り替える場合は、モータ３４が駆動することから、入力ギア３６が図示Ｅ方向に逆転する。出力ギアユニット１において、まず、第一揺動ギア１ｂが入力ギア３６とかみ合い回転し、第一揺動ギア１ｂが第一突起１ｄに係合することから、出力ギアユニット１へ動力が伝達され（図７）、その後、歯群１ａが入力ギア３６とかみ合うことから、出力ギアユニット１は図示Ｅ方向に逆転する。出力ギアユニット１が第二位相に到達した状態では、第二揺動ギア１ｃのみが入力ギア３６とかみ合い、第二揺動ギア１ｃは空転するため、出力ギアユニット１への動力伝達は切断される（図８）。これに伴いカム３５が第二位相で転写ローラユニット３２と接触し、モノクロ用以外の第一転写ローラ４ａとそれぞれ対応する像担持体２ａとの当接は解除され、転写ローラユニット３２は図３・図５の状態に保持される。
【００３４】
ここで、図１０に示すように、出力ギアユニット１が、第一位相、第二位相にそれぞれとどまるように、第一位相において、出力ギアユニット１が正転する方向に突き当たる第一突き当て部材１ｈと、第二位相において、出力ギアユニット１が逆転する方向に突き当たる第二突き当て部材１Ｊと、出力ギアユニットが、第一突き当て部材１ｈ、第二突き当て部材１Ｊに突き当たるように付勢する、例えば、引張りコイルバネなどの付勢手段１ｋとを設ければ、出力ギアユニット１の自重の影響で発生する、出力ギアユニット上１の歯群１ａと、入力ギア３６との歯面が、断続的に当たることによる騒音、磨耗などを抑えることができる。
【００３５】
なお、本発明の揺動ギアを用いた正転逆転クラッチ機構は上記実施例に示した画像形成装置の一次転写ローラユニット揺動機構のクラッチ手段に限られず、広く駆動伝達部に用いられるクラッチ機構として用いて有効である。
【００３６】
すなわち、センサや電磁クラッチなどの電気部品を用いずにメカ構成だけで、モータの駆動時間と回転方向により，所定の位相で駆動伝達を切断できる正逆転クラッチ機構を実現し構成の簡素化、コストダウンを図ることができる。
【図面の簡単な説明】
【００３７】
【図１】実施例１における画像形成装置例の概略構成図である。
【図２】フルカラー画像出力時の中間転写体回避機構部部分の拡大図である。
【図３】モノクロ画像出力時の中間転写体回避機構部部分の拡大図である。
【図４】フルカラー画像出力時の一次転写ローラユニット部分の拡大図（出力ギアユニットとカムの位相（第一位相）を示す断面図）である。
【図５】モノクロ画像出力時の一次転写ローラユニット部分の拡大図（出力ギアユニットとカムの位相（第二位相）を示す断面図）である。
【図６】出力ギアユニット（第一位相、正転時）の正面図である。
【図７】出力ギアユニット（第一位相、逆転時）の正面図である。
【図８】出力ギアユニット（第二位相、逆転時）の正面図である。
【図９】出力ギアユニット（第二位相、正転時）の正面図である。
【図１０】出力ギアユニット（付勢手段あり）の正面図である。
【符号の説明】
【００３８】
１‥‥出力ギアユニット
１ａ‥‥歯群
１ｂ‥‥第一揺動ギア
１ｃ‥‥第二揺動ギア
１ｄ‥‥第一突起
１ｅ‥‥第二突起
１ｆ‥‥第一ガイド穴
１ｇ‥‥第二ガイド穴
１ｈ‥‥第一突き当て部材
１Ｊ‥‥第二突き当て部材
１ｋ‥‥付勢手段
Ｙ・Ｍ・Ｃ・Ｋ‥‥第１〜第４の画像形成部
２‥‥像担持体（感光ドラム）
６‥‥第一転写ローラ
８‥‥中間転写体（中間転写ベルト）
１２‥‥第二転写ローラ
３１‥‥固定フレーム
３２‥‥転写ローラユニット
３２ａ‥‥ボス
３４‥‥モータ
３５‥‥カム
３５ａ‥‥軸
３６‥‥入力ギア
【図４】
2005147351.tif 000003
【図５】
2005147351.tif 000004
【図８】
2005147351.tif 000005
【図９】
2005147351.tif 000006
【図１】
2005147351.tif 000007
【図２】
2005147351.tif 000008
【図３】
2005147351.tif 000009
【図６】
2005147351.tif 000010
【図７】
2005147351.tif 000011
【図１０】
2005147351.tif 000012